(57)【要約】【課題】画像撮影装置、有線または／および無線による通信ネットワークと情報送受信装置とを備え、その場で撮影した画像、記録媒体に記録された画像、あるいは電気通信回線を通じて受信した画像、またはこれらの手段の組み合わせにより得られた画像を商品に表示することができる自動販売機を提供する。【解決手段】本体部１０内部には、金銭投入判別部１１、画像加工手段１２、入力操作部１３、表示部１４、画像データ外部入力手段１５１、撮影装置１５２、プリント手段１６、貼付手段１７、商品供給部１８、釣銭返却部１９が備えられている。なお、入力操作部１３、表示部１４、画像データ外部入力手段１５１、撮影装置１５２については、操作、情報入力のため機器の一部が本体部１０外部に露出している。【選択図】        図２
2005174016.tif 000002
【特許請求の範囲】
【請求項１】
画像表示機能を備える自動販売機(1)であって、箱状に形成された本体(10)内部に、
画像をフィルムシートにプリントする手段(16)と、
画像がプリントされたフィルムシートを物品に貼付して表示する手段(17)と、を備えていることを特徴とする、
自動販売機。
【請求項２】
表示する対象の画像を撮影するための画像撮影装置(152)または／および画像データ外部入力手段(151)と、
画像加工手段(12)と、を備えていることを特徴とする、
請求項１記載の自動販売機。
【請求項３】
画像データ外部入力手段(151)として、
有線または／および無線による通信ネットワークと、通信ネットワークを介して情報を送受信する装置、
または／および、記録媒体読取装置、とを備えており、
上記装置により画像を取り込むことができるよう構成されていることを特徴とする、
請求項２記載の自動販売機。
【請求項４】
携帯情報端末(T)を使用して画像データ外部入力手段(151)に画像情報を送信あるいは入力することにより画像を取り込むことができるよう構成されていることを特徴とする、
請求項２または３記載の自動販売機。
【請求項５】
画像を撮影し(S4a)、または／および、画像データを外部から入力するステップ(S4b)、
該画像をフィルムシートにプリントするステップ(S8)、
画像がプリントされたフィルムシートを物品に貼り付けするステップ(S9)、
画像が表示された物品を供給するステップ(S10)を含むことを特徴とする、
画像を表示した物品の製造方法。
【発明の詳細な説明】
【技術分野】
【０００１】
本発明は、自動販売機に関する。更に詳しくは、自動販売機内において、購入した商品等に撮影等した画像をプリントしたフィルムシートを貼り付けることによって、画像が表示された商品等を供給することができる自動販売機に関する。
【背景技術】
【０００２】
従来、街角等に設置されている自動販売機は、商品等の物品（以下、単に「商品」という。）を販売するのが主目的である。このため、当該商品に何らかの情報を伝達する機能を持たせたい場合には、出荷時あるいは自動販売機への商品補充時迄に、あらかじめ商品に係る容器に情報を表示しておく必要があった。
また、販売場所において、商品に情報（例えば、設置場所等に応じた情報、あるいは、出荷時には知られていなかった最新情報等）を表示することができれば、身近な情報伝達媒体とすることができる。このような情報の表示機能を有する自動販売機としては、例えば、下記の特許文献１に示すような、自動販売機内部において購入した商品の容器に文字や画像をプリントする機能を備えた自動販売機が提案されている。
【特許文献１】特開２００３−１２３１３０号公報
【発明の開示】
【発明が解決しようとする課題】
【０００３】
しかし、特許文献１にかかる自動販売機は、プリントを行う際に商品に係る容器である紙コップのプリント面を探す位置検出装置、紙コップ側面の曲率に応じてプリント部分を修正する表示装置等を必要とする複雑な構造であるという課題があった。
また、商品の包装が袋のようなものである場合は、素材が変形性あるいは柔軟性を有するため、撓んだ面にプリントする際に印刷ムラが生じる可能性があるという課題もあった。
【０００４】
（発明の目的）
そこで、本発明の目的は、簡易な手段で商品に画像を表示することができる自動販売機を提供することにある。
また、本発明の他の目的としては、画像撮影装置、有線または／および無線による通信ネットワークと情報送受信装置とを備え、その場で撮影した画像、記録媒体に記録された画像、あるいは電気通信回線を通じて受信した画像、またはこれらの手段の組み合わせにより得られた画像を商品に表示することができる自動販売機を提供することにある。
【課題を解決するための手段】
【０００５】
上記目的を達成するために講じた本発明の手段は次のとおりである。
第１の発明にあっては、
画像表示機能を備える自動販売機であって、箱状に形成された本体内部に、
画像をフィルムシートにプリントする手段と、
画像がプリントされたフィルムシートを物品に貼付して表示する手段と、を備えていることを特徴とする、
自動販売機である。
【０００６】
第２の発明にあっては、
表示する対象の画像を撮影するための画像撮影装置または／および画像データ外部入力手段と、
画像加工手段と、を備えていることを特徴とする、
第１の発明に係る自動販売機である。
【０００７】
第３の発明にあっては、
画像データ外部入力手段として、
有線または／および無線による通信ネットワークと、通信ネットワークを介して情報を送受信する装置、
または／および、記録媒体読取装置、とを備えており、
上記装置により画像を取り込むことができるよう構成されていることを特徴とする、
第２の発明に係る自動販売機である。
【０００８】
第４の発明にあっては、
携帯情報端末を使用して画像データ外部入力手段に画像情報を送信あるいは入力することにより画像を取り込むことができるよう構成されていることを特徴とする、
第２または第３の発明に係る自動販売機である。
【０００９】
第５の発明にあっては、
画像を撮影し、または／および、画像データを外部から入力するステップ、
該画像をフィルムシートにプリントするステップ、
画像がプリントされたフィルムシートを物品に貼り付けするステップ、
画像が表示された物品を供給するステップを含むことを特徴とする、
画像を表示した物品の製造方法である。
【００１０】
本明細書及び本特許請求の範囲にいう「物品」は購入した商品を意味するほか、無償で頒布する販売促進用の物品等であってもよい。
例えば、物品は、瓶、缶、ペットボトルに入った酒、ジュース、健康飲料、医薬部外品等の飲料、あるいは包装箱、袋に入った菓子、インスタント食品等の加工食品、たばこ、おもちゃ等であってもよい。
また、商品のみならず、商品の提供に供するもの、例えば紙コップ等商品を提供するために使用する容器に貼り付けてもよい。
なお、上記の事情を踏まえたうえで、以下の文章中において、商品または／および商品の提供に供するものを指す言葉として「商品等」を使用する。
【００１１】
本明細書及び本特許請求の範囲にいう「フィルムシート」は、例えば、プリント面と粘着面から構成されているものをいうが、これに限定するものではなく、例えば、粘着面が無い印画紙であって、貼付に際して印画紙より大きな透明粘着フィルムで覆うようにして商品等に貼り付けるものであってもよいし、粘着面に離型紙を備えず粘着面を内側にしてロール状に巻かれたもの等であってもよい。
【００１２】
本明細書及び本特許請求の範囲にいう「画像撮影装置または／および画像データ外部入力手段」は、画像撮影装置または画像データ外部入力手段のいずれか一方の場合もあるし、あるいは、画像撮影装置および画像データ外部入力手段の両方の場合もある。
【００１３】
本明細書及び本特許請求の範囲にいう「画像撮影装置」は、フィルムを使用したカメラまたはデジタルカメラが含まれる。
なお、フィルム切れを防止でき、フィルム収納・現像スペース、使用済みフィルムの廃棄スペースを設ける必要がないため、画像撮影装置はデジタルカメラが好適である。また、デジタルカメラであれば、フィルム現像液、使用済みフィルムを廃棄する必要もないため、環境負荷が少ない。
【００１４】
本明細書及び本特許請求の範囲にいう「有線または／および無線」は、有線または無線のいずれか一方の場合もあるし、あるいは、有線および無線の両方の場合もある。
【００１５】
本明細書及び本特許請求の範囲にいう「通信ネットワーク」は、２台以上のコンピュータを有線または／および無線、あるいは有線と無線を組み合わせたものにより接続してデータ信号を送受信するものが含まれる。
有線の例としては、自動販売機と外部中継基地等を結ぶ電線あるいは光ファイバケーブル等を使用した通信ネットワーク等が挙げられる。
また、無線の例としては、携帯電話等の端末から電話回線を通じて自動販売機内部に備えられたメール受信装置に画像情報を送るインターネット通信、赤外線等のマイクロ波発信装置を備えた携帯電話等の端末から自動販売機内部に備えられた受信装置に画像情報を送るデータ通信等を使用した通信ネットワークが挙げられる。
【００１６】
本明細書及び本特許請求の範囲にいう「記録媒体」は、画像データの記録及び取り出しが可能な媒体であり、例えば、メモリカード、ＣＤ、ＤＶＤ、フレキシブルディスク等が含まれる。
【００１７】
本明細書及び本特許請求の範囲にいう「画像加工手段」は、撮影あるいは受信等した画像を、選択した文字、フレーム等と合成したり、画像の色調等の加工が可能なコンピュータプログラム等をいう。なお、上述の「フレーム」は、画像に係る背景、あるいは、縁部分に設ける装飾を意味するものである。
【００１８】
本明細書及び本特許請求の範囲にいう「携帯情報端末」は、画像情報等を記録するメモリを内蔵する持ち運び可能な機器であって、記録した画像情報等を取り出すことができるもの、例えば、携帯電話、ＰＨＳ、ＰＤＡ、ノートパソコン等が含まれる。
【００１９】
（作  用）
（１）本発明に係る自動販売機は、本体内部に備えられたプリント手段によりフィルムシートに画像をプリントする。その後、本体内部に備えられた貼付手段により、画像がプリントされたフィルムシートを物品に貼付することで、商品等に画像が表示される。
このため、購入者は好みの画像が付加された商品等を入手できる。
【００２０】
（２）画像入力手段が選択可能な自動販売機の場合は、画像データの外部入力あるいは自動販売機に備えられた画像撮影装置から、画像入力方法を選択する。
（ａ）画像撮影装置を選択した場合、自動販売機に備えられた画像撮影装置により自分の姿を撮影し、画像データとして使用する。
（ｂ）有線または／および無線による通信ネットワークによる入力を選択した場合、携帯情報端末に記録された画像データを有線または／および通信ネットワークを通じて自動販売機内に備えられた情報受信装置に送信し、あるいは携帯情報端末から直接取り出した画像データを使用する。
（ｃ）記録媒体による入力を選択した場合、自動販売機に設けられた記録媒体読取装置に記録媒体を読み込ませ、記録媒体に記録された画像データを取り出して使用する。
（ｄ）上記画像入力手段により外部から入力された画像は、画像加工手段によりプリント可能な状態に編集加工される。加工された画像データは、プリント手段によりフィルムシートにプリントされ、貼付手段によって画像がプリントされたフィルムシートを物品に貼付して表示される。
これにより、購入者は好みの画像が付加された商品等を手に入れることができる。
【発明の効果】
【００２１】
本発明によれば、次の効果を奏する。
（１）本発明に係る自動販売機は、本体内部でフィルムシートに画像をプリントし、フィルムシートを商品等に貼り付けるものであり、商品等に係る画像をプリントする部分を探すためのセンサー等の複雑な装置が不要となるため、簡易な手段で商品等に画像を表示する自動販売機を提供することができる。
（２）画像表示方法がフィルムシートを商品に貼り付ける方法であるため、袋のような変形性あるいは柔軟性を有する商品等にも、印刷ムラの無い画像を表示することができる。
（３）自動販売機に備えられた画像撮影装置によりその場で撮影した画像、有線または／および無線による通信ネットワークと情報送受信装置を通じて受信した画像、記録媒体に記録された画像、またはこれらの手段の組み合わせにより得られた画像を商品等に表示することにより、大量生産された商品等が、世界に一つのオリジナリティあふれる商品になり、需要者の購買欲を刺激することができる。
更に、設置場所ごとの情報を付加した画像（例えば、観光地等に設置する自動販売機であって、該観光地の名所等をフレームとして使用し、撮影した画像と組み合わせて編集し作成した画像）を付加した物品は、記念品・お土産として好適である。
【発明を実施するための最良の形態】
【００２２】
本発明の実施の形態を図面に基づき更に詳細に説明する。
図１は本発明に係る自動販売機の使用状態説明図、
図２は本発明に係る自動販売機の内部構成を示すブロック図である。
【００２３】
まず図１に示す自動販売機１の外部について説明する。
自動販売機１は、箱状に形成された本体部１０と、本体部を覆うように形成された遮光部材１０１により構成されている。
【００２４】
本体部１０正面部上方には、商品３を陳列した商品陳列部２が設けられている。
本体部１０中央部近傍には、入力操作部１３、表示部１４及び撮影装置１５２が設けられている。
【００２５】
表示部１４は液晶画面によって形成してあり、液晶画面にはタッチセンサ型の入力画面が表示され、案内画面および入力操作部１３を形成している。
表示部１４上方に設けられた撮影装置１５２はデジタルカメラであり、レンズ部分については被写体撮影のため本体正面外部に露出している。
表示部１４横側近傍には画像データ入力手段１５１および金銭投入口１１１が設けられている。金銭投入口１１１は、コインおよび紙幣の金銭投入口で構成されている。
【００２６】
なお、図面には表れていないが、本体部１０正面または／および遮光部材１０１内側には、照明が設けられている。照明の位置、設置箇所数は、撮影時に被写体の表情に影ができないよう好適に配されている。
【００２７】
本実施の形態において、画像データ入力手段１５１は、赤外線データ通信を採用しているが、これに限定するものではなく、例えば、本体内部に設けられたメール受信装置に直接画像データを送信し、あるいは本部受信装置（本部に備えてあるサーバー）に送信後、利用する自動販売機に電子メール等の手段により画像データを転送する方法であってもよい。
なお、サーバ（server）には、ネットワークで繋がったコンピュータ上で他のコンピュータにファイルやデータ等を提供するコンピュータ、またそのプログラムが含まれる。
【００２８】
また、本体部に通信ケーブルを設け、該ケーブルを介して携帯情報端末内に記録された画像データを取り出してもよい。更にまた、メモリカード、ＣＤ、フレキシブルディスク等の記録媒体を自販機に設けられた読み取り装置に挿入等して、画像データを取り出す方法であってもよい。
【００２９】
釣銭受取口１９１は、本体部１０正面側が開口した矩形状に設けられており、釣銭が飛び出さないよう蓋が設けられている。
【００３０】
表示部１４下方には、購入した画像貼付済の商品Ｇを受け取るための受取口１０２が設けられている。
【００３１】
遮光部材１０１は、フレームと、軟質塩化ビニルの遮光カーテンによって構成されているが、これに限定するものではなく、外部からの光を遮断することができるよう構成されてあればよい。
また、遮光部材１０１内側は青色に着色されているが、これに限定するものではなく、画像と背景、フレーム等をクロマキー合成するのに好適なように、例えば、緑色、灰色等で着色してもよい。
なお、クロマキー（chroma-key）は画面合成の技法の一つであって、色(クロマ)の違いを利用して、人物などの被写体を別の画面にはめこむ手法である。（広辞苑第４版より引用）
更に詳しくは、カラービデオ信号の色成分における色相の差を利用して二つの画面合成を行う技法であり、カーテンまたはスクリーン等単色の背景のショットから前景の対象物を抽出し、新しい背景等を含む別のショットと合成するものである。
【００３２】
次に図２のブロック図を参照して、自動販売機１の内部構成について説明する。
本体部１０内部には、金銭投入判別部１１、画像加工手段１２、入力操作部１３、表示部１４、画像データ外部入力手段１５１、撮影装置１５２、プリント手段１６、貼付手段１７、商品供給部１８、釣銭返却部１９が備えられている。
なお、入力操作部１３、表示部１４、画像データ外部入力手段１５１、撮影装置１５２については、操作、情報入力のため機器の一部が本体部１０外部に露出している。
【００３３】
金銭投入判別部１１は、金銭投入口１１１から投入された紙幣又は硬貨Ｃ１の金額を判別するセンサーを有しており、商品の所要の金額を満たしているか否かを判別し、表示部１４に現在投入している金額、不足金額を表示する。所要金額を満たしていると判断されると、次の案内画面（入力手段選択）が表示される。
【００３４】
表示部１４は、液晶画面によって形成されており、投入された金額、返却される金額、操作案内、画像を表示する。また、表示部１４はタッチパネル式の入力操作部１３を構成する。
【００３５】
画像加工手段１２は、撮影あるいは入力された画像を、フレーム等と合成するものである。具体的には、画像加工ソフトウェアを備えたマイクロコンピュータであり、該コンピュータによって画像の加工を行う。
加工された画像データは、プリント手段１６へ送られる。
【００３６】
画像データ外部入力手段１５１は、画像データを外部から受信する装置である。
本実施の形態では、赤外線データ受信装置を採用している。更に詳しくは、利用者の使用する携帯電話Ｔに設けられた赤外線データ送受信装置から発せられる赤外線Ｉにより送信される画像データＤを、受信する装置を採用している。
【００３７】
本実施の形態においては、撮影装置１５２としてはデジタルカメラを採用している。
【００３８】
プリント手段１６は、画像加工手段１２から送られた画像データをプリントするための手段であり、具体的にはインクジェットプリンタを採用している。プリント手段１６により画像はフィルムシールにプリントされ、画像がプリントされたフィルムシールは貼付手段１７に送られる。
なお、本実施の形態においては、印刷手段としてインクジェットプリンタを採用しているが、これに限定するものではなく、公知の印刷技術、印刷機械の使用の可能性を排除するものではない。
【００３９】
貼付手段１７は、商品供給部１８から送られてきた商品等に、送られてきたフィルムシールを貼付する装置である。
フィルムシールを貼り付けた商品等は、受取口１０２に送られる。
【００４０】
釣銭返却部１９は、釣銭を計算し、返却額の釣銭を取り出すコンピュータプログラムを備えており、所要の額の釣銭Ｃ２は、釣銭受取口１９１に送られる。
【００４１】
（作  用）
図３は本発明に係る自動販売機の作用を示すフローチャート図、
図４は本発明に係る自動販売機により制作された画像シールを付した商品の斜視図である。
図１ないし図４を参照して、本実施の形態に係る自動販売機の作用を説明する。
【００４２】
（料金投入Ｓ１）
自動販売機１０に設けられた金銭投入口１１１に、硬貨又は紙幣Ｃ１を投入する。
この際、金銭投入判別部１１において投入金額を判断される。投入金額および不足額は、表示部１４に表示される。
【００４３】
（商品選択Ｓ２）
商品陳列部２の商品の中から購入するものを選択し、選択するスイッチを押す。
【００４４】
（入力手段選択Ｓ３）
表示部１４の案内に従い、画像入力手段を選択する。
本実施の形態に係る自動販売機１において画像入力手段としては、本体部１０に備えられたカメラで撮影する入力手段Ｓ４ａ、あるいは、外部入力Ｓ４ｂの選択肢から、いずれかを選択することができる。
選択する際、表示部１４に表示された入力操作部１３を触れて、入力操作を行う。
【００４５】
（撮影Ｓ４ａ）
カメラでの撮影を選択した場合、本体部１０に設けられたカメラ１５２で被写体、例えば購入者自身を撮影する。
【００４６】
（外部入力Ｓ４ｂ）
外部入力Ｓ４ｂを選択した場合、購入者は、画像を記録している携帯電話Ｔに係る赤外線通信機能を使用し、画像データＤを送信する。
具体的には、携帯電話Ｔから自動販売機に設けられた赤外線通信受信部分に向かって画像データＤを送信し、本体部１０内に備えられた画像データ外部入力手段１５１に受信される。
【００４７】
画像撮影あるいは画像情報入力後、案内画面に従ってプリントする画像を選択し、決定された画像は画像データＤとして画像加工手段１２へ入力される。
【００４８】
（フレーム選択Ｓ５）
自動販売機に設けられた表示部１４に表示された複数種類のフレームから、前述の画像と組み合わせるフレームを選択する。フレームは選択しなくてもよい。
【００４９】
（文字情報等入力選択Ｓ６）
表示部１４の案内に従い、文字情報等を入力するか否かを選択する。入力する場合、入力操作部１３により文字等を入力する。入力する文字は、表示部１４に表示された定型文（「ＨＡＰＰＹ  ＢＩＲＴＨＤＡＹ！」、「誕生日おめでとう」等）から選択、または、ひらがな、漢字、アルファベット、数字、記号等を組み合わせて自由に文章を作成してもよい。また、タッチパネルにペン状の入力装置で自由な字体で書き込めるようにしてもよい。
画像加工手段１２である画像加工ソフトウェアを備えたマイクロコンピュータによって、フレーム、文字、画像を合成した画像に加工される。
画像加工後、表示部１４にプリント画面のプレビューが表示される。
【００５０】
（画像決定Ｓ７）
プリント画面のプレビューに表示された画像等でプリントを最終決定する場合、入力操作部１３に表示された「決定」ボタンの部分に触れることにより、プリントする画像およびフレームが決定される。
【００５１】
（プリント処理Ｓ８）
本体部１０内部に設けられたプリンタ等のプリント手段１６によって、選択された画像等をフィルムシートにプリントする。
プリントされたフィルムシートは、本体部１０内部に設けられた貼付手段１７に送られる。
【００５２】
（貼付処理Ｓ９）
プリント手段１６から送られてきたフィルムシートは、貼付手段１７によりフィルムシートの離型紙を剥がされ、露出した粘着面は、商品供給部１８から送られた商品Ｇ等に貼り付けられる。
【００５３】
（釣銭処理Ｓ１０）
釣銭返却部１９は、釣銭の計算および返却額の釣銭を取り出すコンピュータプログラムを備えており、釣銭返却部１９により算出された所要の額の釣銭Ｃ２は、釣銭受取口１９１に送られる。
【００５４】
（商品受け取りＳ１１）
画像が付された商品Ｇ１等は貼付手段１７から受取口１０２に送られ、購入者は画像付商品Ｇ１等を手に入れることができる。
なお、記録媒体を使用した場合、商品３等の受け取り後に記録媒体を回収する。
【００５５】
なお、本実施の形態においては、選択等の操作は表示部に表示された入力操作部に触れて行うが、これに限定するものではなく、例えば、案内画面外に設けられた操作部を操作して信号を本体内部に送る装置等の公知の手段も含まれる。
【００５６】
また、本実施の形態においては、画像データの外部入力手段として携帯電話による赤外線通信を採用しているが、これに限定するものではなく、例えば、以下の手段であってもよい。
（１）記録媒体を使用する場合
自動販売機に記録媒体読取装置を設け、持参したメモリカード、ＣＤ、ＤＶＤ等の記録媒体に記録された画像データの中からプリントしたい画像を取り出して使用してもよい。
（２）通信ネットワークと情報送受信装置を通じて受信した画像を使用する場合
i．通信ネットワークが有線式の場合
サーバに送信あるいは蓄積された画像情報を、通信ネットワークを通じて自動販売機に備えられた情報送受信装置に取り出して使用してもよい。
また、自動販売機に設けられたケーブル端部に設けられたコネクタを携帯電話等の携帯情報端末のコネクタに接続し、携帯情報端末のメモリから画像を取り出して使用してもよい。
ii．通信ネットワークが無線式の場合
携帯電話に限らず他の携帯情報端末、例えば、ＰＨＳ、ＰＤＡ、携帯型ノートパソコン等を使用して、電子メールによって画像を送信してもよい。
電子メールによる画像の送受信方法については、自動販売機内部に設けられた受信装置に直接電子メールを送信する方法であってもよいし、また、一度基地局のサーバ等を介して間接的に自動販売機に設けられた受信装置へ電子メールを送信する方法であってもよい。
【００５７】
図４を参照し、本実施の形態にかかる画像を貼り付けた商品等の態様を説明する。
図４（ａ）は、商品である缶Ｇ１側部にフィルムシートＰ１が貼り付けられた状態を示している。
フィルムシートＰ１には、単独の人物画像と、人物画像の上部に「ＨＡＰＰＹ  ＢＩＲＴＨＤＡＹ！」のメッセージがプリントされている。
【００５８】
図４（ｂ）は、商品である箱Ｇ２側部にフィルムシートＰ２が貼り付けられた状態を示している。
フィルムシートＰ２には、単独の人物画像と、人物画像を囲む枠体のうち下枠部に「’０３．０９．１３」の日付がプリントされている。
【００５９】
図４（ｃ）は、商品である袋体Ｇ３側部にフィルムシートＰ３が貼り付けられた状態を示している。
フィルムシートＰ３には、単独の人物画像がプリントされている。
【００６０】
図４（ｄ）は、商品の提供に供する容器である紙コップＧ４側部にフィルムシートＰ４が貼り付けられた状態を示している。
フィルムシートＰ４には、単独の人物画像がプリントされている。
【００６１】
本明細書及び特許請求の範囲で使用している用語と表現は、あくまでも説明上のものであって、なんら限定的なものではなく、本明細書及び特許請求の範囲に記述された特徴およびその一部と等価の用語や表現を除外する意図はない。また、本発明の技術思想の範囲内で、種々の変形態様が可能であるということは言うまでもない。
【図面の簡単な説明】
【００６２】
【図１】本発明に係る自動販売機の使用状態説明図。
【図２】本発明に係る自動販売機の内部構成を示すブロック図。
【図３】本発明に係る自動販売機の作用を示すフローチャート図。
【図４】本発明に係る自動販売機により制作された画像シールを付した商品の斜視図。
【符号の説明】
【００６３】
１      自動販売機
１０    本体部
１０１  遮光部材
１０２  受取口
１１    金銭投入判別部
１１１  金銭投入口
１２    画像加工手段
１３    入力操作部
１４    表示部
１５１  画像データ外部入力手段
１５２  撮影装置
１６    プリント手段
１７    貼付手段
１８    商品供給部
１９    釣銭返却部
１９１  釣銭受取口
Ｄ      データ
Ｃ１    硬貨又は紙幣
Ｃ２    釣銭
Ｔ      携帯電話
Ｉ      赤外線
２      商品陳列部
Ｇ      商品
Ｇ１    缶
Ｇ２    箱
Ｇ３    袋体
Ｇ４    紙コップ
Ｐ１    フィルムシート
Ｐ２    フィルムシート
Ｐ３    フィルムシート
Ｐ４    フィルムシート
【図１】
2005174016.tif 000003
【図２】
2005174016.tif 000004
【図３】
2005174016.tif 000005
【図４】
2005174016.tif 000006